(57)【要約】【課題】  消費電力の少ない過入力防止手段を有する電力増幅器、およびそれを用いた無線通信装置を提供する。【解決手段】  搬送波ｆ１の高周波入力信号Ｐｉｎを増幅する電力増幅部１１と、増幅された出力信号Ｐｏｕｔより第２および第３高調波ｆ２、ｆ３を主とする高周波信号ＡＣを選択する信号選択部１４と、選択された高周波信号ＡＣを直流信号ＤＣに変換する信号変換部１５と、直流信号ＤＣに応じて電力増幅部１１に入力される入力信号Ｐｉｎの一部をバイパスさせる信号制御部１６と、を具備する。  無要な高調波を用いて過入力をモニタすることにより、消費電力を削減する。【選択図】  図１
2006324725.tif 000002
【特許請求の範囲】
【請求項１】
高周波信号を増幅する電力増幅部と、
前記増幅された高周波信号より所定の周波数の高周波信号を選択する信号選択部と、
前記選択された高周波信号を直流信号に変換する信号変換部と、
前記直流信号に応じて前記電力増幅部に入力される前記高周波信号をバイパスさせる信号制御部と、
を具備することを特徴とする電力増幅器。
【請求項２】
前記信号選択部が、前記高周波信号の搬送波に略等しい共振周波数を有する並列共振回路、前記搬送波の略２倍に等しい共振周波数を有する直列共振回路、または前記搬送波の１／４波長に略等しい長さを有するショートスタブのいずれかを具備することを特徴とする請求項１に記載の電力増幅器。
【請求項３】
前記信号制御部が、前記電力増幅部の入力端にキャパシタンスを介してコレクタが接続され、前記信号変換部の出力端にベースが接続され、エミッタが接地されたバイポーラトランジスタを具備することを特徴とする請求項１に記載の電力増幅器。
【請求項４】
前記信号制御部が、前記電力増幅部の入力端に第１キャパシタンスを介してドレインが接続され、前記信号変換部の出力端にゲートが接続され、第２キャパシタンスを介してソースが接地された電界効果トランジスタと、
前記電界効果トランジスタのドレインとソースに接続された抵抗と、
を具備することを特徴とする請求項１に記載の電力増幅器。
【請求項５】
外部から入力された入力信号に基づいて、高周波信号を変調する信号変調手段と、
前記変調された信号を増幅する電力増幅部と、
前記増幅された信号より所定の周波数の信号を選択する信号選択部と、
前記選択された信号を直流信号に変換する信号変換部と、
前記直流信号に応じて前記電力増幅部に入力される前記変調された信号をバイパスさせる信号制御部と、
前記増幅された信号を送信するアンテナと、
を具備することを特徴とする無線通信装置。
【発明の詳細な説明】
【技術分野】
【０００１】
本発明は、電力増幅器、およびそれを用いた無線通信装置に係り、特に過入力を防止するのに好適な手段を備えた電力増幅器、およびそれを用いた無線通信装置に関する。
【背景技術】
【０００２】
従来、電力増幅器では過電流による出力素子の破壊を防止するために、出力素子に流れる電流をモニタし、このモニタ値が基準値を越えた場合に、ドライバーアンプであるＡＧＣ（Automatic Gain Control）アンプの利得等を調整して出力素子に流れる電流を制限していた。
【０００３】
然しながら、出力素子に流れる電流を検出するには、出力経路に数オームの電流検出抵抗を直列に挿入し電流を電圧に変換して検出しているので電流検出抵抗の消費電力が大きくなるという問題がある。
【０００４】
これに対して、過電流が流れたときに入力側で電路に流れる電流を制限する方法が知られている（例えば、特許文献１参照。）。
【０００５】
特許文献１に開示された過電流保護装置では、コイルを用い、定常時においては無誘導コイルとして動作させ、過電流が流れる異常時には自己インダクタンスを発生させてリアクトルとして動作させることにより、電路に流れる過電流を制限して電路を過電流から保護している。
【０００６】
即ち、電路Ｌに直列に接続されて所定の起磁力を発生する第１のコイル１２ａと、この第１のコイルが発生した起磁力と同程度で逆方向の起磁力を発生する第２のコイル１２ｂと、第１のコイル１２ａと電路Ｌとの間に直列に接続される正の抵抗温度係数を有する素子（ＰＴＣ素子）１１とを備え、このＰＴＣ素子１１と第１のコイル１２ａとの直列回路に並列に第２のコイル１２ｂを接続する。
【０００７】
ＰＴＣ素子１１に過電流が流れると、ＰＴＣ素子１１の温度が上昇して抵抗値が増大し、各コイル１２ａ、１２ｂに生じる磁束のバランスが崩れて自己インダクタンスを生じ、リアクトル動作して過電流を防止する。
【０００８】
然しながら、特許文献１に開示された過電流保護装置では、ＰＣＴ素子の発熱により過電流を検出しているのでＰＣＴ素子の消費電力が大きく、且つ応答速度が遅いという問題がある。
【０００９】
電力増幅器を用いた無線通信装置、例えば携帯電話に代表される移動式通信端末ではバッテリーの動作時間を延ばすために、過電流を検出するのに必要な消費電力を極力抑えることが必要である。
【特許文献１】特開平９−２３３６９１号公報（２頁、図１）
【発明の開示】
【発明が解決しようとする課題】
【００１０】
本発明は、消費電力の少ない過入力防止手段を有する電力増幅器、およびそれを用いた無線通信装置を提供する。
【課題を解決するための手段】
【００１１】
本発明の一態様の高周波電力増幅器は、高周波信号を増幅する電力増幅部と、前記増幅された高周波信号より所定の周波数の高周波信号を選択する信号選択部と、前記選択された高周波信号を直流信号に変換する信号変換部と、前記直流信号に応じて前記電力増幅部に入力される前記高周波信号をバイパスさせる信号制御部と、を具備することを特徴としている。
【００１２】
また、本発明の一態様の無線通信装置は、外部から入力された入力信号に基づいて、高周波信号を変調する信号変調手段と、前記変調された信号を増幅する電力増幅部と、前記増幅された信号より所定の周波数の信号を選択する信号選択部と、前記選択された信号を直流信号に変換する信号変換部と、前記直流信号に応じて前記電力増幅部に入力される前記変調された信号をバイパスさせる信号制御部と、前記増幅された信号を送信するアンテナと、を具備することを特徴としている。
【発明の効果】
【００１３】
本発明によれば、消費電力の少ない過入力防止手段を有する電力増幅器、およびそれを用いた無線通信装置が得られる。
【発明を実施するための最良の形態】
【００１４】
以下、本発明の実施例について図面を参照しながら説明する。
【実施例１】
【００１５】
本発明の実施例１について図１乃至図４を用いて説明する。図１は本発明の実施例１に係る電力増幅器の構成を示す回路図、図２はその信号選択部の特性を模式的に示す図で、図２（ａ）は周波数特性を示す図、図２（ｂ）は入力信号の周波数スペクトルを示す図、図２（ｃ）は出力信号の周波数スペクトルを示す図、図３はその信号変換部の構成を示す回路図、図４はその入力信号と出力信号の入出力特性を模式的に示す図である。
【００１６】
図１に示すように、本実施例の電力増幅器１０は搬送波ｆ１の入力信号Ｐｉｎを増幅する電力増幅部１１と、過入力を防止する過入力防止手段１２と、電力増幅部１１および過入力防止手段１２の動作点を定めるバイアス電源部１３とを具備している。
【００１７】
電力増幅部１１は、例えばバイポーラトランジスタＱ１、Ｑ２（以下、トランジスタＱ１、Ｑ２という）がカスケード接続された２段増幅回路で、トランジスタＱ１、Ｑ２のコレクタｃ１、ｃ２が電源Ｖｃｃにそれぞれ接続され、ベースｂ１、ｂ２がそれぞれバイアス電源１３に接続され、エミッタｅ１、ｅ２がそれぞれ接地されている。
【００１８】
更に、トランジスタＱ１のベースｂ１は直流カットコンデンサｃ１を介して入力端子ＩＮに接続され、トランジスタＱ１のコレクタｃ１は直流カットコンデンサｃ２を介してトランジスタＱ２のベースｂ２に接続され、トランジスタＱ２のコレクタｃ２は直流カットコンデンサｃ３を介して出力端子ＯＵＴに接続されている。
【００１９】
過入力防止手段１２はトランジスタＱ２のコレクタｃ２に接続され、出力信号Ｐｏｕｔより所定の周波数の信号を選択する信号選択部１４と、信号選択部１４で選択された高周波信号を直流信号に変換する信号変換部１５と、入力端ＩＮに接続され、信号変換部１５の出力信号に応じて入力信号Ｐｉｎを電力増幅部１１から接地側へバイパスする入力制御部１６とを具備している。
【００２０】
トランジスタＱ１、Ｑ２のベースｂ１、ｂ２にはトランジスタＱ１、Ｑ２がＡＢ級動作をするのに必要なバイアス電圧Ｖｂ１、Ｖｂ２がそれぞれ印加されている。
【００２１】
外部から電力増幅部１１の入力端子ＩＮに高周波の入力信号Ｐｉｎが入力されると、入力信号Ｐｉｎは直流カットコンデンサＣ１を介してトランジスタＱ１のベースｂ１に入力される入力信号Ｐｉｎ１と過入力防止手段１２に入力される入力信号Ｐｉｎ２とに分配される。
【００２２】
トランジスタＱ１のベースｂ１に入力された入力信号Ｐｉｎ１はトランジスタＱ１で増幅される。  
トランジスタＱ１で増幅された入力信号Ｐｉｎ１は、直流カットコンデンサＣ２を介してトランジスタＱ２のベースｂ２に入力され、トランジスタＱ２で更に増幅される。
【００２３】
トランジスタＱ２からの出力信号Ｐｏｕｔは、直流カットコンデンサＣ３を介して電力増幅部１１の出力端子ＯＵＴに出力される出力信号Ｐｏｕｔ１と過入力防止手段１２に入力される出力信号Ｐｏｕｔ２とに分配され、出力信号Ｐｏｕｔ１が外部に出力される。
【００２４】
トランジスタＱ１、Ｑ２でＡＢ級増幅された出力信号Ｐｏｕｔには、搬送波ｆ１以外に、搬送波ｆ１の第２高調波ｆ２、第３高調波ｆ３を含む多数の高調波信号が含まれている。
【００２５】
信号選択部１４はコイルＬ１とコンデンサＣ４の並列共振回路を有し、その並列共振周波数が高周波信号の搬送波ｆ１の周波数に等しく設定されている。
【００２６】
図２（ａ）に示すように、信号選択部１４の並列共振回路の周波数特性は周知のように搬送波ｆ１に対して大きな減衰特性を有し、所謂バンドエミッションフィルタとして動作する。
【００２７】
その結果、図２（ｂ）に示すように、搬送波ｆ１以外に、第２高調波ｆ２、第３高調波ｆ３を含む出力信号Ｐｏｕｔ２が信号選択部１４に入力されると、図2（ｃ）に示すように、出力信号Ｐｏｕｔ２より搬送波ｆ１がカットされて第２高調波ｆ２、第３高調波ｆ３を主とする高調波信号ＡＣが直流カットコンデンサＣ５を介して信号変換回路１５に出力される。
【００２８】
図３に示すように、信号変換回路１５は、例えばコイルＬ４、Ｌ５、ダイオードＤ１、Ｄ２、コンデンサＣ７、Ｃ８および抵抗Ｒ１からなる周知の両波整流回路を有し、コイルＬ６との誘導結合により、第２高調波ｆ２、第３高調波ｆ３を主とする高調波信号ＡＣを両波整流して直流信号ＤＣに変換する。
【００２９】
変換された直流信号ＤＣは出力信号Ｐｏｕｔに対応するので、第２高調波ｆ２、第３高調波ｆ３を主とする高調波信号ＡＣを用いて出力信号Ｐｏｕｔをモニタすることが可能である。
【００３０】
信号制御部１６は、コレクタｃ３がキャパシタンスＣ６を介して電力増幅部１１の入力端子ＩＮに接続され、ベースｂ３が信号変換部１５の出力端に接続され、エミッタｅ３が接地されたバイポーラトランジスタＱ３を有している。
【００３１】
トランジスタＱ３のコレクタｃ３は、高周波カットコイルＬ２を介してバイアス電源部１３に接続され、コレクタ電圧Ｖｃ３が印加されている。  
トランジスタＱ３のベースｂ３は、高周波カットコイルＬ３を介してバイアス電源部１３に接続され、トランジスタＱ３の動作点がトランジスタＱ３のオン電圧より所定値だけ小さくなるバイアス電圧Ｖｂ３が印加されている。
【００３２】
即ち、トランジスタＱ３は定常時においてはオフされているが、信号変換部１５から所定値以上の直流信号ＤＣが出力されるとオンになり、直流信号ＤＣに応じてトランジスタＱ３のオン抵抗が変化し、所謂可変インピーダンス素子として動作する。
【００３３】
トランジスタＱ３がオンになると、電力増幅部１１の入力インピーダンスに対して信号制御部１６のインピーダンスが並列に付加されるので、入力信号Ｐｉｎは、電力増幅部１１の入力インピーダンスと信号制御部１６のインピーダンスに応じて入力信号Ｐｉｎ１およびＰｉｎ２に分配される。
【００３４】
その結果、信号制御部１６に分配された入力信号Ｐｉｎ２はトランジスタＱ３を通って接地側へバイパスされるので、電力増幅部１１の入力信号Ｐｉｎ１は入力信号Ｐｉｎ２だけ減少する。
【００３５】
従って、図４に示すように、電力増幅器１０の入力信号Ｐｉｎと出力信号Ｐｏｕｔ１の入出力特性は、入力信号Ｐｉｎが通常入力範囲の場合に、出力信号Ｐｏｕｔ１は入力信号Ｐｉｎに応じて直線的に増加する特性を示す。
【００３６】
一方、入力信号Ｐｉｎが通常入力範囲を超えて過入力範囲の場合に、出力電力Ｐｏｕｔ１は入力信号Ｐｉｎが増加しても増加せず、飽和特性を示す。
【００３７】
これにより、入力信号Ｐｉｎが電力増幅部１１に対して過入力となるのを防止することが可能であり、過入力による過電流が防止される。
【００３８】
次に、本実施例の電力増幅器１０を用いた無線通信装置について説明する。本実施例は、外部からの入力信号、例えば音声／画像信号を所定の圧縮方式で圧縮してエンコードした信号の送信、あるいは受信された信号をデコードして元の音声／画像信号の再生をおこなう無線通信装置の場合である。
【００３９】
図５に示すように、本実施例の無線通信装置３０は、電波信号を送信または受信するアンテナ３１と、アンテナ３１が電波信号を送信するかまたは受信するかを選択する切り替え器３２と、外部から入力された入力信号を処理した電波信号をアンテナ３１に出力する信号送信手段３３と、アンテナ３１が受信した電波信号を処理して外部に出力する信号受信手段３４とを具備している。
【００４０】
信号送信手段３３は、外部から入力された信号を処理する入力信号処理回路３５と、入力信号処理回路３５の出力信号により第１発振回路３６の出力信号を変調する変調回路３７と、変調回路３７の出力信号を増幅してアンテナ３１へ出力する電力増幅部１１と過入力防止手段１２を有する電力増幅器１０とを具備している。
【００４１】
信号受信手段３４は、アンテナ３１が受信した電波信号を増幅するローノイズアンプ３９と、ローノイズアンプ３９の出力と第２発振回路４０の出力信号を混合して電波信号を復調するミキサー４１と、復調された信号を処理して外部に出力する出力信号処理回路４２とを具備している。
【００４２】
これにより、無線通信装置３０において、例えば変調回路３７内の増幅回路の故障等による電力増幅部１１への過入力が防止され、且つ過入力をモニタするための無駄な消費電力を削減することが可能である。
【００４３】
以上説明したように、本実施例の電力増幅器１０では、従来無用であった第２高調波ｆ２、第３高調波ｆ３を主とする高調波信号ＡＣを用いて過電流をモニタしている。
【００４４】
その結果、搬送波ｆ１を用いて過入力をモニタする場合に比べて、消費電力を低減することができる。
【００４５】
また、無線通信装置３０において、無用な高調波が減少するので、電磁シールドが容易になり、ノイズにより誤動作を防止することができる。
【００４６】
ここでは、無線通信装置３０が信号送信手段３３と信号受信手段３４とを有する場合について説明したが、信号送信手段３３だけを有していても構わない。
【実施例２】
【００４７】
本発明の実施例２について図６および図７を用いて説明する。図６は本発明の実施例２に係る電力増幅器の構成を示す回路図、図７はその信号選択部の特性を模式的に示す図で、図７（ａ）は周波数特性を示す図、図７（ｂ）は入力信号の周波数スペクトルを示す図、図７（ｃ）は出力信号の周波数スペクトルを示す図である。
【００４８】
本実施例において、上記実施例１と同一の構成部分には同一符号を付してその部分の説明は省略し、異なる部分について説明する。
【００４９】
本実施例が実施例１と異なる点は、信号選択部を搬送波ｆ１の略２倍に等しい共振周波数を有する直列共振回路としたことにある。
【００５０】
即ち、図６に示すように、電力増幅器５０の過入力保護手段５２はコイルＬ７とコンデンサＣ９が直列接続され、搬送波ｆ１の略２倍に等しい共振周波数を有する信号選択部５４を具備している。
【００５１】
図７（ａ）に示すように、信号選択部５４の直列共振回路の周波数特性は周知のように第２高調波ｆ２に対して大きな透過特性を有し、所謂バンドパスフィルタとして動作する。
【００５２】
その結果、図７（ｂ）に示すように、第２高調波ｆ２、第３高調波ｆ３を含む出力信号Ｐｏｕｔ２が信号選択部５４に入力されると、図７（ｃ）に示すように、出力信号Ｐｏｕｔ２より搬送波ｆ１、第３高調波ｆ３がカットされて第２高調波ｆ２のみを含む高周波信号ＡＣが信号変換回路１５に出力される。
【００５３】
このように、第２高調波ｆ２のみを用いて過入力をモニタすることが可能であり、且つ直流カットコンデンサＣ５が不要になる。
【００５４】
以上説明したように、本実施例の電力増幅器５０では、信号選択部５４を直列共振回路としたので、第２高調波ｆ２により過入力をモニタすることができ、直流カットコンデンサＣ５が削減できる利点がある。
【実施例３】
【００５５】
図８は本発明の実施例３に係る電力増幅器の構成を示す回路図である。本実施例において、上記実施例１と同一の構成部分には同一符号を付してその部分の説明は省略し、異なる部分について説明する。
【００５６】
本実施例が実施例１と異なる点は、信号選択部を搬送波ｆ１の１／４波長に略等しい長さを有するショートスタブとしたことにある。
【００５７】
即ち、図８に示すように、電力増幅器６０の過入力保護手段６２は基本周波数ｆ１の１／４波長に略等しい長さを有する伝送線路ＳＬと直流カットコンデンサＣ１０により構成されるショートスタブを有する信号選択部６４を具備している。
【００５８】
ショートスタブは周知のようにその長さが１／４波長以下の範囲ではインダクタンスとして働き、１／４波長と１／２波長の間ではキャパシタンスとして働く。  
即ち、搬送波ｆ１の１／４波長に等しい長さを有するショートスタブは搬送波ｆ１に対して入力インピーダンスが無限大になり、所謂バンドエミッションフィルタとして動作し、ショートスタブの長さの１／２の点から第２高調波ｆ２のみを含む高周波信号ＡＣが取り出され、直流カットコンデンサＣ５を介して信号変換回路１５に出力される。
【００５９】
このように、搬送波ｆ１の１／４波長に略等しい長さを有するショートスタブを用いて過入力をモニタすることが可能であり、且つ共振回路のコイルＬ１とコンデンサＣ４が不要になる。
【００６０】
以上説明したように、本実施例の電力増幅器６０では、信号選択部６４を搬送波ｆ１の１／４波長に等しい長さを有するショートスタブとして、第２高調波ｆ２により過入力をモニタするので、消費電力および共振回路のコイルＬ１とコンデンサＣ４が削減できる利点がある。
【００６１】
また、占有面積の大きなコイルが削減できるので、電力増幅器６０をより小型化、高周波化するのに適する利点がある。
【実施例４】
【００６２】
図９は本発明の実施例４に係る電力増幅器の構成を示す回路図である。本実施例において、上記実施例１と同一の構成部分には同一符号を付してその部分の説明は省略し、異なる部分について説明する。
【００６３】
本実施例が実施例１と異なる点は、信号制御部を電界効果トランジスタで構成したことにある。
【００６４】
即ち、図９に示すように、電力増幅器７０において、過入力保護手段７２の信号制御部７６はドレインｄ１が直流カットコンデンサＣ６を介して電力増幅部１１の入力端ＩＮに接続され、ゲートｇ１が信号変換部１５の出力端に接続され、ソースｓ１が直流カットコンデンサＣ１１を介して接地された電界効果トランジスタ、例えばＭＯＳ（Metal Oxide Semiconductor）型電界効果トランジスタＭ１（以下、ＭＯＳトランジスタＭ１という）と、ＭＯＳトランジスタＭ１のドレインｄ１とソースｓ１に接続された抵抗Ｒ３とを具備している。
【００６５】
直流カットコンデンサＣ１１により、ＭＯＳトランジスタＭ１は直流的には常時オフされており、抵抗Ｒ３によりＭＯＳトランジスタＭ１のドレインｄ１とソースｓ１は直流的には同電位に設定されている。
【００６６】
その結果、ＭＯＳトランジスタＭ１のゲートｇ１に信号変換部１５より直流信号ＤＣが印加されると、ＭＯＳトランジスタＭ１は高周波に対してはオンとなり、信号制御部７６に分配された入力信号Ｐｉｎ２はＭＯＳトランジスタＭ１を通って接地側へバイパスされる。
【００６７】
このように、ＭＯＳトランジスタＭ１には直流的には常時オフされているので、信号制御部７６の消費電流がバイポーラトランジスタを用いた場合に比べて低減され、且つバイアス電源部１３からＭＯＳトランジスタＭ１のゲートｇ１へのバイアス電圧は不要のため高周波カットコイルＬ３が不要になる。
【００６８】
以上説明したように、本実施例の電力増幅器７０では、信号制御部７６の消費電流が更に低減でき、且つ高周波カットコイルＬ３が削減できる利点がある。
【００６９】
また、占有面積の大きなコイルが削減できるので、電力増幅器７０をより小型化、高周波化するのに適する利点がある。
【００７０】
ここでは、電界効果トランジスタがＭＯＳトランジスタである場合について説明したが、ＭＩＳ（Metal Insulator Semiconductor）トランジスタ、あるいはＭＥＳ（Metal Electrode Semiconductor）トランジスタであっても構わない。
【００７１】
また、ＭＯＳトランジスタＭ１には直流電流が流れないので、ドレインｄ１には直流電圧が供給されているだけで良い。従って、高周波カットコイルＬ２は抵抗でも構わない。
【実施例５】
【００７２】
図１０は本発明の実施例５に係る電力増幅器の構成を示す回路図である。本実施例において、上記実施例１と同一の構成部分には同一符号を付してその部分の説明は省略し、異なる部分について説明する。
【００７３】
本実施例が実施例１と異なる点は、信号選択部を基本周波数ｆ１の略２倍に等しい共振周波数を有する直列共振回路とし、且つ信号制御部を電界効果トランジスタで構成したことにある。
【００７４】
即ち、図１０に示すように、電力増幅器８０において、過入力保護手段８２は基本周波数ｆ１の略２倍に等しい共振周波数を有する直列共振回路備えた信号選択部５４と電界効果トランジスタで構成された信号制御部７６とを具備している。
【００７５】
これにより、信号制御部７６の消費電流がバイポーラトランジスタを用いた場合に比べて低減され、且つ直流カットコンデンサＣ５が不要になる。
【００７６】
以上説明したように、本実施例の電力増幅器８０では、信号制御部７６の消費電流が低減でき、且つ直流カットコンデンサＣ５が削減できる利点がある。
【実施例６】
【００７７】
図１１は本発明の実施例６に係る電力増幅器の構成を示す回路図である。本実施例において、上記実施例１と同一の構成部分には同一符号を付してその部分の説明は省略し、異なる部分について説明する。
【００７８】
本実施例が実施例１と異なる点は、信号選択部を基本周波数ｆ１の１／４波長に略等しい長さを有するショートスタブとし、且つ信号制御部を電界効果トランジスタで構成したことにある。
【００７９】
即ち、図１１に示すように、電力増幅器９０において、過入力保護手段９２は基本周波数ｆ１の１／４波長に略等しい長さを有するショートスタブを備えた信号選択部６４と信号制御部を電界効果トランジスタで構成された信号制御部７６とを具備している。
【００８０】
これにより、信号制御部７６の消費電流がバイポーラトランジスタを用いた場合に比べて低減でき、且つ高周波カットコイルＬ２、共振回路を構成するコイルＬ１、コンデンサＣ４が不要になる。
【００８１】
以上説明したように、本実施例の電力増幅器９０では、信号制御部７６の消費電流が低減でき、且つ高周波カットコイルＬ２、共振回路を構成するコイルL1、コンデンサＣ４が削減できる利点がある。
【００８２】
上述した実施例においては、電力増幅部１１がトランジスタＱ１、Ｑ２による２段増幅回路の場合について説明したが、１段増幅回路や更に多段増幅回路であっても構わない。
【００８３】
また、信号選択回部１４、５４、６４がトランジスタＱ２のコレクタｃ２に接続する場合について説明したが、トランジスタＱ２のベースｂ２に接続しても構わない。
【図面の簡単な説明】
【００８４】
【図１】本発明の実施例１に係る電力増幅器の構成を示す回路図。
【図２】本発明の実施例１に係る電力増幅器の信号選択部の特性を模式的に示す図で、図２（ａ）は周波数特性を示す図、図２（ｂ）は入力信号の周波数スペクトルを示す図、図２（ｃ）は出力信号の周波数スペクトルを示す図。
【図３】本発明の実施例１に係る電力増幅器の信号変換部の構成を示す回路図。
【図４】本発明の実施例１に係る電力増幅器の入力信号と出力信号の入出力特性を模式的に示す図。
【図５】本発明の実施例１に係る電力増幅器を用いた無線通信装置の構成を示すブロック図。
【図６】本発明の実施例２に係る電力増幅器の構成を示す回路図。
【図７】本発明の実施例２に係る電力増幅器の信号選択部の特性を模式的に示す図で、図７（ａ）は周波数特性を示す図、図７（ｂ）は入力信号の周波数スペクトルを示す図、図７（ｃ）は出力信号の周波数スペクトルを示す図。
【図８】本発明の実施例３に係る電力増幅器の構成を示す回路図。
【図９】本発明の実施例４に係る電力増幅器の構成を示す回路図。
【図１０】本発明の実施例５に係る電力増幅器の構成を示す回路図。
【図１１】本発明の実施例６に係る電力増幅器の構成を示す回路図。
【符号の説明】
【００８５】
１０、５０、６０、７０、８０、９０  電力増幅器
１１  電力増幅部
１２、５２、６２、７２、８２、９２  過入力防止手段
１３  バイアス電源部
１４、５４、６４  信号選択部
１５  信号変換部
１６、７６  信号制御部
３０  無線通信装置
３１  アンテナ
３２  切り替え器
３３  信号送信手段
３４  信号受信手段
３５  入力信号処理手段
３６  第１発振回路
３７  変調回路
３９  ローノイズアンプ
４０  第２発信回路
４１  ミキサー
４２  出力信号処理回路
Ｑ１、Ｑ２、Ｑ３  バイポーラトランジスタ
Ｌ１、Ｌ２、Ｌ３、Ｌ４、Ｌ５、Ｌ６、Ｌ７  コイル
Ｃ１、Ｃ２、Ｃ３、Ｃ４、Ｃ５、Ｃ６、Ｃ７、Ｃ８、Ｃ９、Ｃ１０、Ｃ１１  コンデンサ
Ｒ１、Ｒ２、Ｒ３  抵抗
Ｄ１、Ｄ２  ダイオード
Ｍ１  ＭＯＳトランジスタ
ＳＬ  スタブ
【図１】
2006324725.tif 000003
【図２】
2006324725.tif 000004
【図３】
2006324725.tif 000005
【図４】
2006324725.tif 000006
【図５】
2006324725.tif 000007
【図６】
2006324725.tif 000008
【図７】
2006324725.tif 000009
【図８】
2006324725.tif 000010
【図９】
2006324725.tif 000011
【図１０】
2006324725.tif 000012
【図１１】
2006324725.tif 000013